(57)【要約】      （修正有）【課題】フレキソ版の表面の隆起部を測定する装置を提供する。【解決手段】回転軸線２２を中心として回転体６を回転させるための第１のモータ７と、測定装置１８とを備えており、測定装置１８が、非接触式の測定用に、少なくとも１つの放射線源１９および少なくとも１つのエリアカメラ２１を有している。非接触式の測定用の測定装置１８はさらに、基準物体３０、例えば軸線平行に張設された線材、および測定装置１８および／または基準物体を回転軸線２２に対して垂直に変位させるための第２のモータ２９を有している。測定装置１８は、隆起部、例えばフレキソ印刷点を迅速かつ高精度に測定する。【選択図】図２Ａ
2020185792.tif 000002
【特許請求の範囲】
【請求項１】
印刷機（８）用の胴（１５）、ローラ（１５）、スリーブ（３）または版（５）として形成された回転体（６）の表面（１４）の隆起部（１３）を測定する装置であって、回転軸線（２２）を中心として前記回転体（６）を回転させる第１のモータ（７）と、測定装置（１８）とを備える、装置において、
前記測定装置（１８）は、非接触式の測定用に、少なくとも１つの放射線源（１９）および少なくとも１つのエリアカメラ（２１）を有することを特徴とする、装置。
【請求項２】
前記測定装置（１８）は、非接触式の測定用に基準物体（３０）を有することを特徴とする、請求項１記載の装置。
【請求項３】
前記回転軸線（２２）に対する垂直方向における前記測定装置（１８）の変位を可能にする第２のモータ（２９）が設けられていることを特徴とする、請求項１または２記載の装置。
【請求項４】
前記第２のモータ（２９）は、前記基準物体（３０）を前記回転軸線（２２）に対して垂直に変位させることを特徴とする、請求項２または３記載の装置。
【請求項５】
別の第２のモータ（２９ｂ）が、前記基準物体（３０）を前記回転軸線（２２）に対して垂直に変位させることを特徴とする、請求項２または３記載の装置。
【請求項６】
前記放射線源（１９）は、前記表面（１３，１４）の少なくとも１つの領域を照射することを特徴とする、請求項１から５までのいずれか１項記載の装置。
【請求項７】
前記放射線源（１９）は、光源（１９）であることを特徴とする、請求項６記載の装置。
【請求項８】
前記基準物体（３０）は、前記回転軸線（２２）に対して平行に不動であることを特徴とする、請求項２から７までのいずれか１項記載の装置。
【請求項９】
前記基準物体（３０）は、前記回転軸線（２２）に対して平行に張設された線状の物体、または刃を備えた物体またはビームであることを特徴とする、請求項２から８までのいずれか１項記載の装置。
【請求項１０】
前記基準物体（３０）は、張設された弦または張設された線材または張設された炭素繊維であることを特徴とする、請求項９記載の装置。
【請求項１１】
前記放射線源（１９）および前記カメラを前記回転軸線に対して平行に移動させる第３のモータ（４５）が設けられていることを特徴とする、請求項１から１０までのいずれか１項記載の装置。
【請求項１２】
前記測定装置（１８）は、少なくとも１つのリフレクタ（２０）を有することを特徴とする、請求項１から１１までのいずれか１項記載の装置。
【請求項１３】
前記カメラ（２１）は、前記回転体（６）の輪郭の軸方向の一範囲および前記基準物体または該基準物体の輪郭の同一の軸方向の範囲の少なくとも１つの共通の画像、または共通の一連の画像または共通の映像を撮影することを特徴とする、請求項１から１２までのいずれか１項記載の装置。
【請求項１４】
前記画像、前記一連の画像または前記映像を評価すると同時に、前記回転軸線（２２）からの、前記表面（１４）の個々の隆起部（１３，５３〜５５）の半径方向距離（５７）を求めるコンピュータ（３９）が設けられていることを特徴とする、請求項１３記載の装置。
【請求項１５】
前記半径方向距離（５７）または該半径方向距離から導出された値は、データとしてデジタルメモリに記憶されることを特徴とする、請求項１４記載の装置。
【請求項１６】
請求項１５記載の装置と、
圧胴、少なくとも１つのフレキソ印刷胴および少なくとも１つのアニロックスローラを有し、かつ前記圧胴と前記フレキソ印刷胴との間および／または前記フレキソ印刷胴と前記アニロックスローラとの間の押付け圧力を調整する駆動装置を有する少なくとも１つの印刷ユニットを備えたフレキソ印刷機と、
から成るシステムにおいて、
前記データは、前記フレキソ印刷機のコンピュータに伝送され、前記押付け圧力の調整時に用いられることを特徴とする、システム。
【発明の詳細な説明】
【技術分野】
【０００１】
発明
本発明は、請求項１の上位概念に記載の特徴を有する装置に関する。
【０００２】
発明の技術分野
本発明は、グラフィック工業の技術分野に位置し、その中でも特に、例えば胴、ローラ、スリーブ、好適にはレーザ彫刻されたフレキソ印刷スリーブ、または版、好適にはスリーブに取り付けられたフレキソ印刷版等の回転体の測定の分野に位置する。測定に際しては、回転体の隆起部が検出される。
【０００３】
背景技術
独国特許出願公開第３３０２７９８号明細書には、調整時間を短縮するための見当前調整に関連した、面整合もしくは印刷箇所および非印刷箇所の検出が開示されている。
【０００４】
独国特許出願公開第１０２０１４２１５６４８号明細書に開示された輪転印刷機は、所定の回転軸線を中心として回転可能な中心圧胴、少なくとも１つの、好適には中心圧胴の周りに配置された複数の印刷デッキを備えており、この場合、各印刷デッキは、基準マークと、基準マークを検出するための少なくとも１つのセンサとを備えた印刷ローラを有している。この場合、センサは、回転軸線を中心としてセンサを回転させることができる別個の回転装置に配置されている。
【０００５】
欧州特許第３２５１８５０号明細書に開示された、版および見当マークを備えたフレキソ印刷機のスリーブの見当データを測定する、いわゆるマウンタは、スリーブを固定可能な軸、版の表面プロファイルを走査する検出ユニット、例えば３Ｄスキャナ、および走査した版の表面プロファイルを記憶された目標プロファイルに対応させ、この対応に応じて見当マークに関する見当データを算出する計算ユニットを有している。
【０００６】
独国特許出願公開第１０２００６０６０４６４号明細書に開示された輪転印刷機は、複数のインキデッキを有しており、これらのインキデッキのうちの少なくとも１つは、ローラ、例えばフレキソ印刷胴またはアニロックスローラと、印刷機の少なくとも１つの別の構成部材に対して相対的にローラの位置を調整するための調整システムとを有している。この場合、少なくとも１つのインキデッキは、この固有のローラの表面のトポグラフィおよび／または版とローラ上に形成された基準マークとの間の空間的な関係を表すデータを、ローラを介して受信しかつ処理するように構成された制御ユニットを有している。さらに制御ユニットは、調整システムを、調整データに合致させて制御するように形成されており、これにより、廃棄物を出さずにまたは少なくとも減少させて、印刷に最適な位置にローラを調整することができる。胴表面のトポグラフィの測定もしくは走査は、（レーザトライアンギュレーションまたはレーザ干渉法用の）可動のレーザヘッドを用いて行われてよい。前調整（または見当調整）用の目標ライン圧を決定し、これに基づき損紙の産出を回避することが、１つの目的である。このために用いられる調整値は、ＲＦＩＤチップに記憶させることができる。印刷範囲および非印刷範囲の決定も可能である。同一パテントファミリーの独国実用新案第２０２００７００４７１７号明細書には、トポグラフィ走査の代替手段として、センサとしての転動キーまたは陰影原理に基づいた、センサとしてのレーザマイクロメータによる測定が開示されている。同一パテントファミリーの中国特許出願公開第１０２３８１０１３号明細書には、輪転印刷機に設けられた版胴および彫刻ローラを調整する方法であって、版胴を回転可能に取り付けるステップ；版胴の周面を走査するステップ；版胴の調整に用いられるデータを導出しかつ記憶するステップ；彫刻ローラを回転可能に取り付けるステップ；彫刻ローラの周面を走査するステップ；彫刻ローラの表面の外観から彫刻ローラの調整に用いられるデータを導出しかつ記憶すると共に、調整データをセーブするステップ；印刷機に版胴および彫刻ローラを取り付けるステップ；ならびに調整データに基づき版胴および彫刻ローラを調整するステップを伴う方法が開示されている。
【０００７】
Ｂｏｂｓｔ社により「スマートＧＰＳ」（登録商標）の名称で販売されている、いわゆる「見当合わせおよび印刷提供」用のシステムは、測定されるべき版に接触する走査ローラと共に働く。しかしながら、版を非接触式にひいてはいずれにしろ、極めて微細な印刷点の場合でも損傷無しで測定する、という顧客の要望が存在する。
【０００８】
国際公開第２０１０１４６０４０号に開示された類似のものでは、カメラおよび目標値・実際値比較（理論的な半径対測定された半径）の形態の評価アルゴリズムが使用される。
【０００９】
国際公開第２００８０４９５１０号には、少なくとも１つの版胴の品質を検査する方法および装置が開示されている。版胴を検出装置に送り、検出装置において版胴の表面を自動化された方式で光学式に走査し、自動測定機器により版胴の直径または周および／または版胴の表面の表面粗さを測定することにより、必要な品質保証対策の自動化された実施が可能である。例えば、印刷画像はそのインキ密度に基づき検査される。
【００１０】
アニロックスローラによりインキ着けされる、スリーブに取り付けられたフレキソ版または印刷スリーブ（スリーブ）を用いた印刷では、多数の可変の値が周知である。すなわち：アニロックスローラのサイズ、つまりその周における差異；展開時の作業幅にわたる版の厚さにおける差異；同心度における、作業幅にわたるスリーブにおける差異；偏心率；接着テープによる版の取付けにおける差異が周知である。これらの差異に基づき、アニロックスローラと（スリーブ、接着面および版を備えた）印刷胴との間の作業圧および印刷胴と（間に位置する被印刷材を備えた）圧胴との間の作業圧ひいては印刷結果が影響され、特に損なわれることがある。
【００１１】
つまり、多様な測定システムが周知である。それでもなお、市場は終始、より高品質の印刷製品をより速く、より廉価に製造可能にするための革新を求めている。周知のシステムは、この要求を常に完全に満たすことはできない。
【００１２】
課題
したがって本発明の課題は、特に、回転体の隆起部、例えばフレキソ版のフレキソ印刷点等を迅速に高精度で測定することを可能にする、従来技術に対する改良を提供することにある。
【００１３】
本発明による解決手段
この課題は本発明に基づき、請求項１記載の装置により解決される。本発明の有利なひいては好適な改良は、各下位請求項ならびに説明および図面から明らかである。
【００１４】
印刷機の胴、ローラ、スリーブまたは版として形成された回転体、例えばスリーブに取り付けられたフレキソ版の表面の隆起部を測定するための、本発明による装置は、回転軸線を中心として回転体を回転させるための第１のモータと、測定装置とを備えており、測定装置が、非接触式の測定用に、少なくとも１つの放射線源および少なくとも１つのエリアカメラを有している、という点において優れている。
【００１５】
エリアカメラはラインカメラと、感光式の一次元ラインセンサが設けられている、ということだけでなく、感光式の２次元エリアセンサも設けられている、という点において相違しており、この場合、エリアセンサは、好適には複数のラインセンサを有している。エリアカメラは、例えば互いに隣接する複数のラインカメラから構成されていてよい。
【００１６】
エリアカメラは、相並んで配置された複数のエリアカメラであってもよい。エリアカメラは、（胴または支持体胴もしくはその軸線に対して）軸方向に（好適には水平方向に）、位置固定されてまたは可動に配置されていてよくかつ／またはエリアカメラは、軸線に対して垂直に（好適には鉛直方向に）、位置固定されてまたは可動に配置されていてよい。
【００１７】
エリアカメラの使用は、極めて迅速にかつ同時に極めて精密に測定することを可能にする。
【００１８】
本発明による装置は、非接触式の測定を可能にすると共に、測定しようとする物体、特にフレキソ版の軟らかな印刷点に生じ得る損傷を有利に回避する。さらに、放射線、特に電磁放射線、例えば光を用いた測定は、極めて微細な測定を可能にし、このことは、特にフレキソ版の微細な印刷点を測定する場合に有利である。
【００１９】
このような装置は、使用時に、例えば取り付けられた版または取り付けられたフレキソ版または印刷スリーブまたはフレキソ印刷スリーブの自動的な測定を可能にし、ひいては印刷プロセスに関与する胴および／またはローラ間、例えばアニロックスローラと、版を備えた印刷胴と、圧胴との間の、それぞれ最適な作業圧力の自動的な前調整を可能にする。最適な作業圧力では、一様な印刷画像が生じる。有利には前調整により、例えば印刷ジョブ変更時の停止時間および刷出し損紙を減じることができるか、またはそれどころか回避することができる。
【００２０】
このような装置は、使用時に、最適な作業圧力、最適な印刷速度および／または最適に適合されたドライヤ出力の、製造速度に応じた動的な設定をも可能にする。これにより、工業的（自動化、少ない使用人員および安価）に高価値の印刷製品を製造することができる。
【００２１】
データ技術的なネットワークが存在しない場合および／またはプリプレス（例えばフレキソ版の製造）と印刷段階（例えばフレキソ印刷機による印刷）との空間的な隔たりが大きな場合には、本発明による装置をローカルで使用することにより、ローカルの高品質な印刷に必要とされる全ての値（例えば作業圧力、印刷速度および／またはドライヤ出力）が迅速かつ正確に生ぜしめられ、提供されるようにすることができる。
【００２２】
発明の改良
本発明の１つの好適な改良は、測定装置が、非接触式の測定用に基準物体を有している、という点において優れていてよい。基準物体は、好適には（回転体に対して軸線平行に）張設された線材であってよい。基準物体は、表面の隆起部を測定する際に、基準として用いられる。基準物体または少なくとも基準物体の（軸線平行な）輪郭は、エリアカメラにより検出され得る。複数の隣り合うエリアカメラの好適な使用において、個々のカメラの画像は、基準物体もしくは基準物体の（カメラ映像における）各画像を用いて、有利には互いに位置調整され得る。カメラの高精度の、したがって時間のかかる位置調整は不要である。基準物体の使用および検出においては、処理されるべきデータ量を大幅に減じることができる、ということに基づき、別の利点が生じている。
【００２３】
本発明の１つの好適な改良は、回転軸線に対して垂直方向において測定装置の変位を可能にする第２のモータが設けられている、という点において優れていてよい。
【００２４】
本発明の１つの好適な改良は、第２のモータが（好適には測定装置のみならず、好適には）基準物体も、回転軸線に対して垂直方向に変位させる、という点において優れていてよい。
【００２５】
本発明の１つの好適な改良は、１つの別の第２のモータが、基準物体を回転軸線に対して垂直方向に変位させる、という点において優れていてよい。この場合、別のモータは前記第２のモータではない、すなわち、２つの別個の第２のモータが存在している。
【００２６】
本発明の１つの好適な改良は、放射線源、特に光源が、表面の少なくとも１つの領域を照射、特に照明する、という点において優れていてよい。
【００２７】
本発明の１つの好適な改良は、回転軸線に対して平行な基準物体が、特に測定中は不動である、という点において優れていてよい。基準物体は位置固定されて配置されていてよく、例えば線材が、その両端部において位置固定されて張設されていてよい。
【００２８】
本発明の１つの好適な改良は、基準物体が、回転軸線に対して平行に張設された線形の物体、または刃を備えた物体またはビームである、という点において優れていてよい。刃を備えた物体は、カッタ状の物体であってよい。この場合、刃またはビームの縁部は、基準物体の基準線として用いられる。
【００２９】
本発明の１つの好適な改良は、基準物体は、張設された弦または張設された線材または張設された炭素繊維である、という点において優れていてよい。好適なのは、張設された線材の使用である。張設された線材は広範な調査において、十分に精密かつ有効な技術的手段であることが判った。測定中に生じ得る線材の振動は、計算技術により補償され得る。あまり好適でないブレードまたはビームを使用する場合には、熱的な変化（膨張）を構造的に補償することが必要とされる場合がある。計算技術による補償ひいては線材の利用は低コストであるため、好適である。
【００３０】
本発明の１つの好適な改良は、放射線源、特に光源およびカメラを回転軸線に対して平行に移動させる、第３のモータが設けられている、という点において優れていてよい。放射線源、特に光源は、カメラと共に１つの構成ユニットを形成していてよく、特にカメラ内に組み込まれていてよい。
【００３１】
本発明の１つの好適な改良は、測定装置が少なくとも１つのリフレクタを有している、という点において優れていてよい。リフレクタは、支持体胴の軸方向長さにわたって延在していてよい。リフレクタは、位置固定されて配置されていてよい。リフレクタは、反射シートまたは散乱光（ホワイトノイズ）を生ぜしめるシートであってよい。
【００３２】
本発明の１つの好適な改良は、カメラが、回転体の輪郭の軸方向の範囲および基準物体または基準物体の輪郭、特に回転体の輪郭に面した、基準物体の輪郭の同一の軸方向の範囲の少なくとも１つの共通の画像、または一連の画像または共通の映像を撮影する、という点において優れていてよい。基準物体、好適には基準物体の輪郭の使用および検出においては、処理されるべきデータ量を大幅に減じることができる、ということに基づき、別の利点が生じている。デジタル画像処理に基づく、版の隆起部の（半径方向）高さの計算は、画像において認識可能な、隆起部（または隆起部の輪郭）の、基準物体（または対面する基準物体の輪郭）からの（半径方向）距離を利用することができる。
【００３３】
本発明の１つの好適な改良は、画像または一連の画像または映像を評価すると同時に、回転軸線からの、表面の個々の隆起部の半径方向距離を求めるコンピュータが設けられている、という点において優れていてよい。一連の画像または映像には、例えば回転物体の周１ｍｍ当たり１つまたは最大１０または最大１００の画像が含まれていてよい。軸方向における解像度は、１００００〜１０００００ピクセル、例えば１２８０ピクセル×３０カメラ、つまり３８４００ピクセルであってよい。
【００３４】
いわゆるＡＩを使用することが想定されていてもよい。このＡＩは、例えば大量のデータのデータ評価（大きな測定表面および高い解像度）において、例えばＡＳおよびＢＳに対する胴入れ用の送り値を求める際に協働してよいか、またはこのことを単独で実施してよい。ＡＩは、既に実施されたデータ評価から学習してもよい。
【００３５】
本発明の特徴、本発明の改良および本発明の実施例は、互いに任意に組み合わせられて本発明の有利な改良をも成す。本発明の改良はさらに、−上の「発明の技術分野」の章で開示した−個別の特徴または特徴の組み合わせを有していてよい。
【００３６】
発明の実施例
以下に、本発明および本発明の好適な改良を、図面を参照し、好適な実施例に基づいて、より詳細に説明する。互いに対応する特徴には、図中、同一の符号を付してある。
【図面の簡単な説明】
【００３７】
【図１】本発明による装置の好適な実施例を示す詳細図である。
【図２Ａ】本発明による装置の好適な実施例を示す詳細図である。
【図２Ｂ】本発明による装置の好適な実施例を示す詳細図である。
【図２Ｃ】本発明による装置の好適な実施例を示す詳細図である。
【図３Ａ】本発明による装置の好適な実施例を示す詳細図である。
【図３Ｂ】本発明による装置の好適な実施例を示す詳細図である。
【図４Ａ】本発明による装置の好適な実施例を示す詳細図である。
【図４Ｂ】本発明による装置の好適な実施例を示す詳細図である。
【図５】本発明による装置の好適な実施例を示す詳細図である。
【００３８】
図１には、測定ステーション２の回転可能な支持体胴１、支持体胴に支持されたスリーブ３およびスリーブに支持された、好適には接着テープ４により（または択一的にはスリーブの接着コーティングにより）スリーブに固定（いわゆる「マウント」）された、少なくともそのトポグラフィに関して測定されるべき回転体６としての版５の横断面が示されている。択一的に、支持体胴において、好適にはレーザ彫刻された印刷スリーブが測定されてもよい。
【００３９】
測定中に支持体胴を回転させるために、測定ステーションにはモータ７が設けられていてよい。測定ステーションは、（版が支持体スリーブに取り付けられる）いわゆる「マウンタ」の一部であってよい、または「マウンタ」とは別個に設けられていてよい。測定ステーションは、−版５のための少なくとも１つの印刷ユニット９および好適にはウェブ状の被印刷材１１に印刷しかつ乾燥させるためのドライヤ１０を備えた−印刷機８とは別個に設けられていてよい。印刷機は、好適にはフレキソ印刷機であり、したがって版は、好適には例えば１０６ｍｍ〜３４０ｍｍの直径を有するフレキソ版である。ドライヤは、好適には高温空気ドライヤおよび／またはＵＶドライヤおよび／または電子線ドライヤおよび／またはＩＲドライヤである。スリーブは、側方から支持体胴に被せ嵌められてよい。支持体胴は、その周面に複数の開口を有していてよく、これらの開口からは−被せ嵌めの際にスリーブを広げてエアクッションを生ぜしめるための−圧縮空気が放出され得る。版を備えたスリーブは、測定後に測定装置から取り出され、印刷機において印刷ユニットの印刷胴に被せ嵌められてよい。空圧式の緊締システムに対して択一的に、液圧式の緊締システムが用いられてもよい。
【００４０】
測定ステーション２のキャリブレーションは、支持体胴１に設けられた測定リング１２を用いて行われてよい。択一的に、キャリブレーションには測定スリーブまたは支持体胴自体が用いられてもよい。
【００４１】
以下の各図面には、印刷機８の胴、ローラ、スリーブまたは版として形成された回転体６（図２Ｃ参照）の表面１４の隆起部１３を非接触式に測定するための、本発明による装置の好適な実施の形態が示されている。隆起部は、フレキソ版の例えば（ラスタにおける）フレキソ印刷点または（全面における）フレキソ印刷面であってよい。以下の実施例では、版５の測定を例示的に説明する。版を測定することにより、印刷プロセスに関与する各胴、例えばアニロックス胴１５と、版５を備えた印刷胴１６と、圧胴１７との間の、それぞれ最適な作業圧の自動的な前調整が可能になる。
【００４２】
図２Ａ〜図２Ｃには、版５のトポグラフィを測定するための本発明による装置の１つの好適な実施の形態が、図２Ａでは横断面図で、図２Ｂでは平面図で、図２Ｃでは図２Ａの部分拡大図で示されている。この実施の形態では、トポグラフィが好適には複数の装置１８により、任意の基準線を用いた３Ｄ半径検出の枠内で検出される。
【００４３】
この実施の形態および以下の実施の形態では、「２Ｄ」は、版５の１つの区分（例えば環状の高さプロファイル）を走査することを意味し、「３Ｄ」は、版５全体（例えば複数の環状の高さプロファイルから構成される円筒状の高さプロファイル）を走査することを意味する。
【００４４】
前記装置は、複数の放射線源１９、特に光源１９、好適にはＬＥＤ光源、少なくとも１つのリフレクタ２０および少なくとも１つの受光器２１、好適にはエリアカメラ、特に好適には高速カメラを有している。以下、例示的に放射線源としての光源から出発する。すなわち、可視光線が送出される。択一的に、放射線源は別の電磁放射線、例えば赤外線を送出してもよい。光源は、好適には支持体胴１の回転軸線２２に対して垂直に１列に配置されていて、ライトカーテン２３をもたらし、この場合、スリーブ３および版５を備えた支持体胴１、すなわち輪郭が、陰２４をもたらす。トポグラフィ１３の陰になる光２４を含まない、反射され、次いで受信される光２５、つまり実質的に送出された光２３は、測定されるべきトポグラフィ１３に関する情報を運ぶ。リフレクタ２０は、反射シートとして形成されていてよい。
【００４５】
光源１９は、面状（エリアカメラ）である。光源は、好適には可視光線を送出する。好適には、光源１９および受光器２１は、作業幅２６、すなわち版５の軸線２２の方向における版５の延在長さ（例えば１６５０ｍｍ）をカバーしている。好適にはｎ個の光源１９および受光器２１が設けられていてよく、この場合、例えば２＞ｎ＞６９である。比較的小型のカメラを使用した場合には、６９よりも高い上限が必要とされることがある。作業幅２６全体がカバーされる場合には、支持体胴１が１回転する間に版５を測定することができる。
【００４６】
そうでない場合には、光源および受光器を、版に沿って軸方向２７に移動または周期的に作動させる必要がある。
【００４７】
好適には、安価でありながら迅速に作動するカメラ２１、例えば白黒カメラが使用される。これらのカメラは、版５の回転中に複数の個別の画像または１つの映像を撮影することができる。
【００４８】
光源１９、リフレクタ２０および受光器２１から成る装置は、好適には支持体胴１の軸線２２に対して垂直な方向２８に移動可能であり、これにより、もたらされた光条２３を、測定されるべきトポグラフィ１３の方に向けることができる。このためには、モータ２９が設けられていてよい。リフレクタを位置固定して形成し、光源および／または受光器のみを移動させる、例えばモータにより変位させる、ということが想定されていてもよい。
【００４９】
図面とは異なり、トポグラフィ１３の測定は、水平方向においてではなく、好適には垂直方向において（例えばカメラを「下側」にかつリフレクタを「上側」にして）行われる。それというのも、この場合には支持体胴１および基準物体３０に生じ得る撓みを考慮しないままでよいからである。この好適な構成の場合には、図２Ａを時計回り方向に９０°だけ回動させたものを思い浮かべる必要がある。
【００５０】
任意の基準物体３０としては、複数の受光器２１に対する基準線３１を形成する線状の物体３０、好適には張設された糸３０または張設された弦３０、例えば金属線材または炭素繊維またはブレード（またはブレード状の物体または刃を備えた物体）またはビームが設けられている。線状の物体は、好適には支持体胴１の軸線に対して平行に延在しており、支持体胴１の周面３３もしくは支持体胴１に配置された版５に対して例えば２ｍｍ〜１０ｍｍ（最大２０ｍｍ）の小さな距離３２をあけて配置されている。受信光２５には、基準物体３０に関する評価可能な情報、例えば基準物体３０の場所および／または版５の（好適にはエッチングされた、したがって隆起部１３よりも低く位置する）表面１４までの距離も含まれている。基準線により、基準物体３０に面したトポグラフィ１３もしくは輪郭または輪郭隆起部の半径方向距離Ｒを、好適にはデジタル画像処理を用いて測定することができる。支持体胴１の軸線２２からの基準物体３０の距離は、基準物体３０（と任意には光源１９および受光器２１および場合によりリフレクタ２０と一緒）の配置および／またはモータによる変位に基づき既知である。よって輪郭隆起部の半径方向距離、すなわち印刷点の半径Ｒは、計算技術的に求めることができる。基準物体３０の使用ひいては基準物体３０により惹起される陰もしくは陰に対応する、各カメラ２１の（撮像におけるもしくは受信光からの）基準線３１の存在に基づき、例えばカメラ同士の正確な、例えばピクセル精度位置調整は、必ずしも必要とされない。さらに、基準物体３０は、測定システムのキャリブレーションに利用され得る。
【００５１】
基準物体３０は、方向２８における移動もしくは変位のために、光源１９および／またはモータ２９と接続されていてよい。択一的に、基準物体は、移動／変位用の専用のモータ２９ｂを有していてもよい。
【００５２】
装置の最初の基準化のためには、好適には（「空の」）支持体胴またはその上に配置された測定スリーブを用いて測定が実施される（基準物体から、表面ＡＳ〜ＢＳまでの距離の測定）。
【００５３】
測定過程前に装置を引き続き初期設定するためには、好適にはまず、エリアカメラ２１が支持体胴１に向かって方向２８に移動させられる。この移動は、カメラが好適には第１の隆起部を検出すると直ちに、好適には停止させられる。その後、基準物体３０も好適には同様に支持体胴１に向かって、例えば２ｍｍの所定の設定距離を除いて、方向２８に移動させられる。
【００５４】
光源１９と受光器２１とは、択一的には支持体胴１の互いに反対の側に配置されていてもよい。この場合にはリフレクタ２０を省くこともできる。
【００５５】
好適には、光源１９、（実施の形態により設けられている場合には）リフレクタ２０、受光器２１および任意の基準物体３０は、（支持体胴の軸線２２に対して垂直に）可動の、特にモータにより変位可能または移動可能なユニット３４を形成している。
【００５６】
測定中、支持体胴１は、その上に位置する版５と共に回転するため、好適には全ての隆起部１３が、周方向３５において検出され得る。これに基づき、支持体胴１の角度位置に応じて、トポグラフィ画像および軸線２２までの個々の隆起部１３、例えばフレキソ印刷点の半径Ｒまたは（互いに反対の側に位置する各隆起部の間で測定された）直径Ｄを求めることができる。
【００５７】
図２Ｃの拡大図には、版５のトポグラフィ１３の一部が示されており、トポグラフィの陰２４および基準物体３０の陰３６が認められる。トポグラフィ隆起部１３は、２μｍ〜２０ｍｍの範囲内であってよい。
【００５８】
さらに、スリーブ３および／または版５を確認目印３８（図２Ｂ参照）に基づき検出するセンサ３７が設けられていてよい。この目印は、例えばバーコード、２Ｄコード（例えばＱＲコードまたはデータマトリックスコード）、ＲＦＩＤチップまたはＮＦＣチップであってよい。
【００５９】
受光器２１により生ぜしめられた、測定された表面１４のトポグラフィ１３および基準物体３０に関する情報を含む信号および／またはデータは、好適には線路または無線接続手段を介してコンピュータ３９に伝送され、そこで引き続き処理される。コンピュータは、印刷機８に接続されている。コンピュータ３９は、情報を評価する。
【００６０】
評価の結果は、コンピュータのデジタルメモリ４０、印刷機のメモリ４０またはクラウドを基礎としたメモリに保存される。結果は、好適には各確認目印３８に対応させて記憶される。印刷機８において、スリーブに取り付けられた版５（または印刷スリーブ／フレキソ版）を後で使用する際に、版５（または印刷スリーブ／フレキソ版）の確認目印３８は再読込みされ得る。次いで、確認目印３８に関して記憶された値が、例えば前調整のために呼び出されてよい。例えば、印刷機が必要とする印刷ジョブ用データを、クラウドを基礎としたメモリから入手する、ということが想定されていてもよい。
【００６１】
評価の結果には、好適には最大４つの値が含まれていてよい。すなわち：圧胴１７または被印刷材搬送胴１７に対する、印刷胴１６、すなわち測定される版５を支持する胴の両側４１もしくはＡＳ（駆動側）および４２もしくはＢＳ（作業側）において運転上必要とされる胴入れ値および測定される版５にインキ着けするアニロックスローラ１５の両側４１もしくはＡＳ（駆動側）および４２もしくはＢＳ（作業側）において運転上必要とされる、印刷胴１６に対する胴入れ値である。
【００６２】
さらに、例えば光学走査手段を介して点密度を検出するための装置４３、好適にはレーザトライアンギュレーション装置、ＣＩＳスキャナ条片（接触イメージセンサ）またはラインカメラが設けられていてよい。択一的に装置４３は、光源１９，２１と共に点密度の測定に利用され得るように旋回可能なまたは可動のミラーであってもよい。この装置は、好適には画像処理および／または画像評価装置に接続されており、画像処理および／または画像評価装置は、好適にはコンピュータ３９−もしくは相応のプログラムを有するコンピュータ３９−であるか、または別のコンピュータ３９ｂであってもよい。
【００６３】
ＣＩＳスキャナ条片は、胴に対して軸線平行に配置されていてよい。ＣＩＳスキャナ条片は、好適には照明用ＬＥＤおよび（市販のコピー機に設けられたスキャナ条片と類似の）画像撮影用センサを有している。条片は、好適には表面に対して１〜２ｃｍの間隔をあけて配置されているか、またはこの間隔になるように位置決めされる。測定されるべき表面、例えば版を備えた胴は、条片の下側で回転し、このとき表面の画像が生成され、点密度評価のための画像評価手段に提供される。点密度の検出から得られたデータは、例えば用意された多数のアニロックスローラから−検出された版による印刷に最適な−１つのアニロックスローラを計算技術により選択するもしくは推奨するためにも使用され得る。
【００６４】
図３Ａおよび図３Ｂには、版５のトポグラフィを測定するための本発明による装置の１つの好適な実施の形態が、図３Ａでは横断面図で、かつ図３Ｂでは平面図で示されている。この実施の形態では、トポグラフィが好適にはレーザマイクロメータ４４により、２Ｄ直径検出の枠内で検出される。
【００６５】
この装置は、光源１９、好適にはライン形のＬＥＤ光源１９またはライン形のレーザ１９、および受光器２１、好適にはラインカメラ２１を有している。レーザと受光器とは、共に１つのレーザマイクロメータ４４を形成している。光源１９はライトカーテン２３をもたらし、スリーブ３および版５を備えた支持体胴１は、陰２４をもたらす。光源１９のライン長さおよび受光器２１は、好適には、スリーブおよび版を含む支持体胴の直径Ｄよりも大きくなっており、これにより装置４４の、支持体胴の軸線２２に対して垂直な移動無しで、トポグラフィを可能にすることができる。換言すると、支持体胴の横断面は、完全にライトカーテン内に位置している。
【００６６】
光源１９および受光器２１から成る装置４４は、作業幅２６全体を検出するために、支持体胴の軸線２２に対して平行に（方向２７に）可動である。このためには、モータ４５が設けられていてよい。
【００６７】
スリーブ３および／または版５を確認目印３８に基づき検出するセンサ３７が設けられていてよい（図２Ｂ参照）。
【００６８】
受光器２１により形成された信号および／またはデータは、好適には線路または無線接続手段を介してコンピュータ３９に伝送され、そこで引き続き処理される。コンピュータは、印刷機８に接続されている。
【００６９】
光源１９と受光器２１とは、択一的には支持体胴１の同じ側に配置されていてもよい。この場合には図２Ａ〜図２Ｃの場合と同様に、反対側にリフレクタ２０が配置される。
【００７０】
１つの択一的な実施の形態では、トポグラフィは、好適にはレーザマイクロメータ４４により２Ｄ直径検出の枠内で検出され、この場合、単一の測定ライン４６だけではなく、複数の測定ライン４８（破線で図示）から成る、より広幅の測定帯４７（破線で図示）が検出される。光源１９および受光器２１は、この実施例では好適には面状に形成されており、単にライン形に形成されているだけではない。光源１９は、それぞれ約０．１ｍｍの幅および約５ｍｍの相互間隔の複数の光ライン４８を有していてよい。この例では、カメラは好適にはエリアカメラとして形成されている。
【００７１】
図４Ａおよび図４Ｂには、版５のトポグラフィを測定するための本発明による装置の１つの好適な実施の形態が、図４Ａでは横断面図で、かつ図４Ｂでは平面図で示されている。この実施の形態では、トポグラフィが好適にはレーザマイクロメータにより、２Ｄ半径検出の枠内で検出される。
【００７２】
この装置は、光源１９、好適にはＬＥＤ光源１９および受光器２１、好適にはライン形のＬＥＤ光源２１またはライン形のレーザ２１を有している。光源１９はライトカーテン２３を生ぜしめ、スリーブ３および版５を備えた支持体胴１は、陰２４を生ぜしめる。
【００７３】
光源１９および受光器２１から成る装置は、好適には支持体胴１の軸線２２に対して垂直な方向２８に移動可能であり、これにより、ライトカーテン２３を、測定されるべきトポグラフィ１３の方に向けることができる。このためには、モータ２９が設けられていてよい。ライトカーテン２３の幅が十分でありひいては測定範囲をカバーしている場合に関しては、モータ２９を省くことができる。
【００７４】
受光器２１により生ぜしめられた信号および／またはデータは、好適には線路または無線接続手段を介してコンピュータ３９に伝送され、そこで引き続き処理される。コンピュータは、印刷機８に接続されている。
【００７５】
光源１９と受光器２１とは、択一的には支持体胴の同じ側に配置されていてもよい。この場合には図２Ａ〜図２Ｃの場合と同様に、反対側にリフレクタ２０が配置される。
【００７６】
１つの択一的な実施の形態では、トポグラフィ１３は、好適にはレーザマイクロメータ４４により３Ｄ半径検出の枠内で検出され、この場合、１つの測定ライン４６だけではなく、より広幅の測定帯４７（破線で図示）、すなわち複数の測定ライン４８が同時に検出される。光源１９および受光器２１は、この実施例では単にライン形に形成されているだけではなく、面状に形成されている。
【００７７】
１つの別の択一的な実施の形態では、トポグラフィ１３は、好適にはレーザマイクロメータ４４により３Ｄ半径検出の枠内で検出され、この場合、光源１９および受光器２１から成る装置は、好適には支持体胴１の軸線に対して垂直な方向２８に移動可能であり、これにより、ライトカーテン２３を、測定されるべきトポグラフィ１３の方に向けることができる。このためには、モータ２９（破線で図示）が設けられていてよい。
【００７８】
１つの択一的な実施の形態では、トポグラフィ１３は、好適にはレーザマイクロメータ４４により３Ｄ半径検出の枠内で検出され、この場合、前記２つの択一的な実施の形態が組み合わされる。
【００７９】
図５には、２つの印刷領域５０と２つの非印刷領域５１とを備えた版５の、大幅に拡大されて図示されたトポグラフィ測定結果が例示的に示されている。（支持体胴の軸線に関する）１つの軸方向箇所における３６０°の半径方向測定結果が示されている。非印刷領域は、例えばエッチングにより形成されていてよく、ひいては印刷領域よりも小さな半径を有していてよい。
【００８０】
この図面には、最大半径、すなわち前記軸方向箇所におけるトポグラフィ１３の最高隆起部を有する版５の点の包絡半径５２もしくは包絡線５２も示されている。
【００８１】
版５の点５３は印刷点である。それというのも、この点５３は印刷運転中、版５と被印刷材１１もしくは搬送胴１７との間の押付け力もしくは胴入れ値が標準に設定されていると、被印刷材と、インキ着けするアニロックスローラとに十分に接触することになるからである。標準に設定された押付け力は、版が被印刷材にまともに接触し、フレキソ印刷点が大幅に押し付けられることがない、いわゆるキスプリントを生ぜしめる。
【００８２】
点５４は、印刷運転中、押付け力が標準に設定されている場合に辛うじて印刷することになる点である。それというのも、点５４は被印刷材に辛うじて接触することになるからである。
【００８３】
２つの点５５は、印刷することがない点である。それというのも、点５５は印刷運転中、押付け力が標準に設定されている場合に被印刷材に全く接触することがなく、アニロックスローラにも全く接触することがないからである。
【００８４】
コンピュータ３９において作動するコンピュータプログラムは、印刷領域５０において例えばデジタル画像処理を用いて計算技術により、半径方向における最深点５６と、最深点５６の、包絡線５２までの半径方向距離５７とを求める。この計算は、軸方向において規則的な間隔で、例えばＡＳからＢＳにかけて全ての測定点において実施され、ＡＳから中心までおよび中心からＢＳまでの、最深点の最大値（すなわち深さの最大値）を求める。２つの最大値またはこれらから計算技術により求められた送り値または設定値は、例えばそれぞれ印刷時のＡＳおよびＢＳに対する送り値／設定値として選択され得る、すなわち、印刷に関与する各胴間の胴間隔は、ＡＳおよびＢＳに対して送られた分だけ、減少する。このためにはＡＳおよびＢＳに対して、それぞれモータ式のねじ山付きスピンドルが使用されてよい。
【００８５】
以下は具体的な数値の一例である。
【００８６】
一方ではΔＲ＝６５μｍが間隔として生じかつ他方ではΔＲ＝５５μｍが間隔として生じる。版の全ての点５３〜５５を印刷するためには、６５μｍ送る必要がある。
【００８７】
図示の全ての実施の形態およびそれらの択一的な前記実施の形態では、追加的に、製造および／または運転に起因する（摩耗に起因する）スリーブ３の偏心度が測定されてよく、測定結果および評価結果に基づき、印刷時に、作成される印刷製品の品質改良が考慮され得る。所定の偏心度許容範囲を超過すると、警告が発せられてよい。測定は、平滑で多孔質のスリーブにおいて実施され得る。
【００８８】
図示の全ての実施の形態およびそれらの択一的な実施の形態では、追加的に、製造に起因する、版５、特に版５のポリマ材料の厚さ変動、および／または特にスリーブへの取付けに基づく版５の歪み、および／または（スリーブと取り付けられた版との間における）埃および／または毛髪または空気の封入および／または接着面４に基づき存在する隆起部および／または温度の影響（熱膨張）が測定され得る。埃粒および埃粒の位置は、トポグラフィ検出により個別に測定され得る。個々の埃粒は、例えば版５に投影されたレーザスポット／投影されたレーザ十字によりオペレータに示されて除去され得る。択一的に、埃除去装置を埃粒の位置へ移動させ、例えば空気噴射によりまたはローラを用いて埃粒を除去してもよい。
【００８９】
光源１９もしくは（可視光線を放射する）光放射体１９に代えて、本発明の枠内ではレーダ放射体１９が（適宜に適合された受信器と共に）使用されてもよい。
【００９０】
図示の全ての実施の形態およびそれらの択一的な実施の形態では、動的な胴入れに関するパラメータを求めて印刷機に引き渡すこともできる。この場合は例えば、ポリマ材料から成る変形可能かつ／または圧縮可能な印刷点５３〜５５の、周知の−（例えば予め測定され）かつコンピュータ３９に提供された−遅延膨張が考慮され得る。または予めデュロメータにより検出された版の硬度が用いられてもよい。前記膨張は、特に運転により生じる印刷速度に依存し得る、もしくはこの印刷速度依存が考慮され得る。例えば比較的高い印刷速度では、より大きな胴入れ値が選択されてよい。
【００９１】
この場合、版５の印刷面積または点密度、すなわち版５上の印刷点の転位可能な密度が（印刷速度に対して択一的または追加的に）考慮されてもよい。例えば点密度が比較的高い場合には、比較的大きな胴入れ値が選択され得かつ／または点密度は、動的な胴入れの設定に使用され得る。このためには、版、例えばフレキソ版上の点密度、すなわち点密度の局所値を検出もしくは測定するための装置４３、好適にはＣＩＳスキャナ条片またはラインカメラが設けられていてよい。例えば、点密度検出から得られた／算出されたデータに基づき、ＡＳ（印刷機の駆動側）およびＢＳ（印刷機の作業側）に対する、それぞれ異なる胴入れのための設定値を提供する、ということが想定されていてよい。
【００９２】
版５および／またはインキ着けするアニロックスローラ１５および／またはラスタスリーブ１５の点密度を知ることで、供給された被印刷材１１に版でもって印刷する際に予測されるインキ消費量を、計算技術により求めることができる。インキ消費量から、被印刷材上のインキを乾燥させるために必要とされるドライヤ１０のドライヤ出力を、計算技術により求めることができる。算出された予測インキ消費量を起点として、準備されるべきインキ貯蔵量を算出することもできる。
【００９３】
図示の全ての実施の形態およびそれらの択一的な実施の形態では、いわゆる溝ショックパターンも考慮され得る。溝ショックパターンは、運転による版５の回転に際して周期的に生じる欠陥であり、この欠陥は、印刷画像中の−大抵は軸方向に延在する−ページ幅のまたは少なくとも欠陥を生じる幅のギャップもしくは溝、すなわち印刷点無しの、欠陥を生じる大きさの領域、またはその他の軸方向の溝により惹起される。このような溝またはそれらの溝ショックパターンにより、印刷クオリティが損なわれる恐れがある。それというのも、印刷に関与する各胴は、回転すると戻ってくる溝の領域でのキスプリント式の胴入れに基づき、つまり周期的に接近しかつ離反するからである。このことは、不都合なケースでは望ましくない密度変動またはそれどころか印刷中断部をもたらす恐れがある。既存の溝ショックパターンは、好適にはＣＩＳ測定装置４３を（例えば上述した旋回可能なまたは可動のミラーをエリアカメラと共に）用いてまたはエリアカメラを用いて検出され得、計算技術により評価され得、かつ運転上必要とされる胴入れに際して補償され得る。例えば、検出した溝ショックパターンに基づき、振動が発生することになる印刷機の速度もしくは回転周期が予め算出され得る。この場合、これらの速度もしくは回転周期が製造中に使用されることはなく、例えば機械の高速運転時には省かれる。
【００９４】
全ての版５は、個々の溝ショックパターンを有し得る。版における溝は、印刷結果にネガティブな影響を及ぼすか、またはそれどころか印刷中断部をもたらす恐れがある。溝ショックを軽減するかまたはそれどころか解消するためには、版の溝が展開方向において検査される。印刷ユニット９の既知の共振周波数において、供給された版において特に不都合な製造速度が算出され得る。この印刷速度（いわゆる「ノーゴースピード」）を回避することが重要である。
【００９５】
図示の全ての実施の形態およびそれらの択一的な実施の形態では、版上の見当マーク（または複数の見当マーク、例えば楔、二重楔、点または十字線）も、例えばカメラ２１または４３および後置されたデジタル画像処理手段を用いて検出され得、その位置が測定され、記憶されかつ保存され得る。これにより、見当マークまたは軸方向位置に合わせた、見当制御装置または見当制御装置の見当センサの自動的な設定が可能になる。そうでない場合に慣例の、センサの手動設定による欠陥を有利に防ぐことができる。択一的に、モデルを検出して、見当制御装置の設定に用いてもよい。モータにより移動可能な見当センサを、特に軸方向において自動的に位置決めする、ということが想定されていてもよい。印刷胴および／または印刷胴上に配置された印刷スリーブの角度位置の予め設定されたゼロ点を、（例えば手で接着された）印刷画像の実際の場所の角度値に、特に周方向（もしくは胴／スリーブの周方向）において補正する、ということが想定されていてもよい。この補正に基づき、胴／スリーブの角度位置に関する最適なスタート値を得ることができる。このようにして、見当ずれを減らして印刷製造を開始することができる。同じことが、横方向（もしくは胴／スリーブの横方向）にも当てはまる。
【００９６】
図示の全ての実施の形態およびそれらの択一的な実施の形態では、印刷機８のドライヤ１０の出力も制御または調整され得る。例えばＬＥＤドライヤセグメントが、被印刷材に印刷インキが転写されなかった領域では停止されてよく、これにより、ＬＥＤの有利なエネルギ節約および耐用年数延長が可能になる。
【００９７】
さらに有利には、低い点密度を有する版上の複数の印刷領域に対するドライヤ１０の出力もしくはドライヤの個々のセグメントの出力が低下され得る。これにより、エネルギが節約されかつ／またはドライヤまたは個々のセグメントの耐用年数が延長され得る。前記停止または低下は、一方では部分的に、かつ他方では版の軸方向もしくは版を用いて処理されるべき被印刷材の横方向に対して平行な方向および／または横方向において行われてよい。例えば、ドライヤのセグメントまたはモジュールは、（互いに間隔をあけて配置され、特に手で接着された）複数の版の間のギャップに対応する領域では停止されてよい。
【００９８】
図示の全ての実施の形態およびそれらの択一的な実施の形態では、印刷検査システムの複数の測定フィールドの（版５における）各場所も検出され得、引き続く利用のために、例えば印刷検査システムの場所設定のために提供され得る。
【００９９】
図示の全ての実施の形態およびそれらの択一的な実施の形態では、インラインインキ測定システムも位置決めされ得る。インラインインキ測定手段の場所ひいては位置を測定するためには、画像認識および／またはパターン認識が実施され、画像認識および／またはパターン認識に基づき測定システムの軸方向位置が測定される。被印刷材に対するキャリブレーション用の空所を可能にするために、インラインインキ測定システムに、空いている印刷位置を通知することができる。
【０１００】
次に、本発明による装置でもって１つの適当な実施の形態で実施し得る、１つの例示的な全体プロセスを説明する。
【０１０１】
測定プロセス：
ステップ１：版５を備えたまたは備えていないスリーブ３を、測定ステーション２の、空気供給式の支持体胴１に、エアクッションを介して被せ嵌め、係止する。
【０１０２】
ステップ２：スリーブを、単一の目印列３８でもって確認する。これは、バーコード、２Ｄコード（例えばＱＲコードまたはデータマトリックスコード）、ＲＦＩＤコードまたはＮＦＣを用いて行うことができる。
【０１０３】
ステップ３：カメラ２１および任意には基準物体３０を、（版を備えたまたは備えていないスリーブの）直径に基づき位置決めする。
【０１０４】
ステップ４：軸線６もしくは支持体胴の軸線中心点２２に対する基準点を備えた版のトポグラフィ１３、すなわち隆起部／印刷点５３〜５５の半径を求める。このとき、測定装置１８の光源１９およびカメラ２１は、場合により軸方向に移動し、支持体胴は回転する（支持体胴の角度位置は、エンコーダを介して知られている）。
【０１０５】
ステップ５：点密度、空いている印刷箇所、印刷する面、見当マークおよび／またはインラインインキ測定用の測定フィールドを検出するために、エリアスキャンを実施する。
【０１０６】
ステップ６：コンピュータ３９上で作動するトポグラフィアルゴリズムを使用しかつエリアスキャンを介して溝ショックパターンおよび見当マークフィールド構成もしくはインラインインキ測定手段を検出することにより、エリアを評価する。
【０１０７】
ステップ７：版の硬度を（単位ショアで）任意に求める。
【０１０８】
ステップ８：埃検出器および／または細毛検出器を使用する。
【０１０９】
ステップ９：測定結果のデータをデジタルメモリ４０に記憶させる。
【０１１０】
ステップ１０：測定結果を示して埃／細毛もしくは封入された気泡を示唆しかつ／または例えば同心度、偏心率および／または凸度等の限界値を表示する。
【０１１１】
ステップ１１：可能な場合には測定を繰り返す、または別のスリーブを測定するために印刷スリーブを取り外す。
【０１１２】
装備プロセス：
ステップ１：版５を備えたスリーブ３を、印刷機８の空気供給式の印刷胴１６に、エアクッションを介して被せ嵌め、係止する。
【０１１３】
ステップ２：スリーブを、その単一の目印列３８でもって、各印刷ユニット９もしくは各印刷ユニット９に設けられたセンサにより確認する。これは、バーコード、２Ｄコード（例えばＱＲコードまたはデータマトリックスコード）、ＲＦＩＤコードまたはＮＦＣを用いて行うことができる。
【０１１４】
ステップ３：印刷ユニットもしくは印刷機が、確認された、付属する印刷スリーブ／版に関して記憶されたデータを受け取る。
【０１１５】
設定プロセス：
ステップ１：例えば最適な印刷点のためのトポグラフィ、同心度および被印刷材データに基づき、印刷胴１６およびアニロックス胴１５に関していわゆる「キスプリント」式の胴入れ（押付け力もしくは作業圧力の設定）を行う。直径もしくは半径を求める。直径もしくは半径は、測定に基づき既知である。
【０１１６】
ステップ２：版上の見当マークデータもしくはスリーブ基準点に基づき、前見当を算出する。
【０１１７】
ステップ３：求めた点密度値および被印刷面積および速度および任意には被印刷材に基づき、動的な胴入れを設定する。任意には、（単位ショアの）版の硬度を考慮する。
【０１１８】
ステップ４：例えば溝ショックパターン検出により求められる、版に対する印刷ユニットの共振周波数の算出に基づき、最適な材料ウェブ速度を設定する。
【０１１９】
ステップ５：点密度値および被印刷面積、ならびにウェブ製品速度に対して任意に動的に適合されたアニロックス胴データ（浸漬容積等）に基づき、最適な乾燥出力（ＵＶまたは高温空気）を設定する。
【０１２０】
ステップ６：点密度値および被印刷面積、ならびにアニロックス胴データ（浸漬容積等）に基づき、インキ消費量を算出する。
【０１２１】
ステップ７：エネルギを節約すると共に、ＬＥＤランプの耐用年数を向上させるために、版上に位置する点密度が低い箇所もしくは乾燥が全く必要とされない箇所において、ＬＥＤ−ＵＶドライヤ区間を減少または停止させる。
【０１２２】
ステップ８：得られた見当マークデータ、例えばマーク構成および見当センサの自動的な軸方向位置決めに基づき、見当制御装置の全自動設定を行う。
【０１２３】
ステップ９：分光インライン測定用の測定位置、印刷インキの印刷検査、場所もしくは測定位置に関する情報を設定する。
【符号の説明】
【０１２４】
１  支持体胴
２  測定ステーション
３  スリーブ
４  接着テープ
５  版
６  回転体、特に版
７  第１のモータ
８  印刷機、特にフレキソ印刷機
９  印刷ユニット
１０  ドライヤ
１１  被印刷材
１２  測定リング
１３  隆起部／トポグラフィ
１４  表面
１５  アニロックスローラ／アニロックス胴
１６  印刷胴
１７  圧胴／被印刷材搬送胴
１８  測定装置
１９  放射線源、特に光源
２０  リフレクタ
２１  放射線受信器、特に受光器、例えばカメラ
２２  回転軸線
２３  ライトカーテン／送出された光
２４  陰
２５  反射された光
２６  作業幅
２７  軸方向
２８  移動方向
２９  第２のモータ
３０  基準物体／線形の物体、特に糸／弦／カッタ／ビーム
３１  基準線
３２  距離
３３  周面
３４  ユニット
３５  周方向
３６  陰
３７  センサ
３８  確認目印
３９  デジタルコンピュータ
４０  デジタルメモリ
４１  駆動側（ＡＳ）
４２  作業側（ＢＳ）
４３  点密度を検出するための装置
４４  レーザマイクロメータ
４５  第３のモータ
４６  測定ライン
４７  測定帯
４８  複数の測定ライン
５０  印刷領域
５１  非印刷領域
５２  包絡半径／包絡線
５３  版の印刷点
５４  版の、辛うじて印刷する点
５５  版の、印刷しない点
５６  最深点
５７  半径方向距離
２９ｂ  別の第２のモータ
３９ｂ  別のデジタルコンピュータ
Ｒ  半径方向距離
Ｄ  直径
【図１】
2020185792.tif 000003
【図２Ａ】
2020185792.tif 000004
【図２Ｂ】
2020185792.tif 000005
【図２Ｃ】
2020185792.tif 000006
【図３Ａ】
2020185792.tif 000007
【図３Ｂ】
2020185792.tif 000008
【図４Ａ】
2020185792.tif 000009
【図４Ｂ】
2020185792.tif 000010
【図５】
2020185792.tif 000011
【外国語明細書】
2020185792.tif 000012
2020185792.tif 000013
2020185792.tif 000014
2020185792.tif 000015
2020185792.tif 000016
2020185792.tif 000017
2020185792.tif 000018
2020185792.tif 000019
2020185792.tif 000020
2020185792.tif 000021
2020185792.tif 000022
2020185792.tif 000023
2020185792.tif 000024
2020185792.tif 000025
2020185792.tif 000026
2020185792.tif 000027
2020185792.tif 000028
2020185792.tif 000029
2020185792.tif 000030
2020185792.tif 000031
2020185792.tif 000032
2020185792.tif 000033
2020185792.tif 000034
2020185792.tif 000035
2020185792.tif 000036
2020185792.tif 000037
2020185792.tif 000038
2020185792.tif 000039
2020185792.tif 000040
2020185792.tif 000041
2020185792.tif 000042
2020185792.tif 000043
2020185792.tif 000044
2020185792.tif 000045
2020185792.tif 000046
2020185792.tif 000047
2020185792.tif 000048
2020185792.tif 000049
2020185792.tif 000050
2020185792.tif 000051